(57)【要約】【課題】ユーザが発信者による伝言がなくとも発信者の電話の意図を認識可能な電話機を提供する。【解決手段】ユーザが電話に出ない場合に、発信者の電話番号及びコール数を着信履歴として記憶する着信履歴記憶部と、着信があった旨及び着信履歴記憶部から抽出した着信履歴を表示する表示部とを有する電話機を提供することで、ユーザは、発信者との予めの取り決めなどにより、電話機を通話可能な状態にすることなく、電話の意図を認識することができる。また、所謂「ワン切り」の対策を講じることも可能となる。【特許請求の範囲】
【請求項１】
ユーザが電話にでない場合に、発信者の電話番号及びコール数を着信履歴として記憶する着信履歴記憶部と、着信があった旨及び着信履歴記憶部から抽出した着信履歴を表示する表示部とを有する電話機。
【請求項２】
ユーザが電話にでない場合に、任意のコール数を超えたときに発信者の伝言を記憶することができる伝言記憶部と、伝言がないときに発信者の電話番号及びコール数を着信履歴として記憶する着信履歴記憶部と、
伝言又は着信があった旨及び着信履歴記憶部から抽出した着信履歴を表示する表示部とを有する電話機。
【請求項３】
着信履歴に着信日時を含めることを特徴とした請求項１又は請求項２に記載のの電話機。
【請求項４】
名前と電話番号とを一つの電話帳情報として記憶する電話帳記憶部と、着信履歴の電話番号と前記電話帳記憶部に記憶されている電話番号を照合する照合手段とを備え、着信履歴の電話番号と前記電話帳記憶部に記憶されている電話番号が一致する場合には、電話番号に対応する名前によって着信履歴を表示することを特徴とした請求項１乃至請求項３に記載の電話機。
【請求項５】
ユーザが電話にでない場合に、発信者の電話番号及びコール数を着信履歴として記憶し、その後、記憶した着信履歴を抽出し、それを表示部に表示することを特徴とする着信履歴表示方法。
【発明の詳細な説明】
【０００１】
【発明が属する技術分野】
電話機における着信履歴表示に関する。
【０００２】
【従来の技術】
従来の電話機は、留守番電話機能を有している。そして、ユーザが電話に出ない場合には、発信者からの伝言を記録し、その後再生することができた。また、伝言がない場合に、電話発信者番号を着信履歴として記憶し、表示することができる機能を有する電話機もあった。
【０００３】
【発明が解決しようとする課題】
しかし、従来の電話機では、仮に留守番電話機能を有していても、発信者が伝言しなければ、発信者の電話の意図をユーザ（着信者）は認識できなかった。
また、仮に着信履歴を表示する機能を有していても、発信相手や時刻が分かるだけで、発信者の電話の意図をユーザは認識できなかった。
更に、１コールで電話を切ることで相手に着信履歴を残し相手に着信リダイヤルをさせることで有料サイトなどに導く所謂「ワン切り」の被害が２００１年から２００２年にかけて社会問題になった。
ここで、請求項１乃至請求項５に記載の発明の目的は、ユーザが発信者による伝言がなくとも発信者の電話の意図を認識可能にすることである。
【０００４】
【課題を解決するための手段】
本発明は、上記目的を達成するためのものである。
（請求項１）ユーザが電話にでない場合に、発信者の電話番号及びコール数を着信履歴として記憶する着信履歴記憶部と、着信があった旨及び着信履歴記憶部から抽出した着信履歴を表示する表示部とを有する電話機において、発信者の電話番号及びコール数を着信履歴として記憶する手段と、記憶した着信履歴を抽出し表示する手段とを備える。
ユーザは、着信履歴において、発信者を認識するとともに、コール数から発信者の電話の意図を認識することが可能となる。たとえば、極めて多くのコール数であれば、ユーザ（着信者）は、緊急の電話であると判断することもできる。また、一定のコール数に対応して「今日は早く帰る」、「折り返し電話が欲しい」等といった合図を予め決めておくことにより、発信者は、伝言やメールをしなくとも容易かつ課金されることなく相手に電話の意図を伝えることができる。
更に、相手端末に着信履歴を残し相手を有料サイトなどに導く所謂「ワン切り」の対策にもなる。
ここで、「電話機」には、卓上電話、携帯電話、ＰＨＳ（Ｐｅｒｓｏｎａｌ　Ｈａｎｄｙｐｈｏｎｅ　Ｓｙｓｔｅｍ）、自動車電話、移動電話、インターネット電話、業務用電話、家庭用電話などが含まれる。
「コール数」の表示は、着信コール回数を単に表示してもよいし、コール数と発信者の意図を予め電話機に登録しておき発信者の意図に変換して表示してもよい。たとえば、「１２：００　会社　４コール」とコール数を表現するところ、「１２：００　会社、至急連絡」といった具合に発信者の意図を直接表示してもよい。
なお、平成５年以降特許庁が発行した公開公報の全文を対象に「着信履歴×コール数」で検索を試みたが、関連する出願は皆無であった。また、特開２０００−２７８３９９にコール数を意識した電話機に関する発明の記載があるが、伝言機能を働かせるための閾値として利用しているに過ぎない。
【０００５】
（請求項２）ユーザが電話にでない場合に、任意のコール数を超えたときに発信者の伝言を記憶することができる伝言記憶部と、伝言がないときに発信者の電話番号及びコール数を着信履歴として記憶する着信履歴記憶部と、
伝言又は着信があった旨及び着信履歴記憶部から抽出した着信履歴を表示する表示部とを有する電話機において、発信者の電話番号及びコール数を着信履歴として記憶する手段と、記憶した着信履歴を抽出し表示する手段とを備える。
ここで、「任意のコール数」は、０から２０コール程度が現実的な数である。０の場合には、ユーザが予め電話に出ることができないことが分かっているときなどに便利であり、着信があると直ぐに伝言機能（留守番電話機能）が働くことになる。なお、伝言がある場合には、発信者の電話の意図をユーザが認識でき、またコール数も閾値（設定した任意のコール数）となるので、コール数を着信履歴として残す必要性は希薄である。
「伝言がないとき」とは、任意のコール数に達することなく伝言機能が働かなかったときのほか、任意のコール数に達し伝言機能が働いたにも拘わらず発信者が伝言しなかったときを含む。たとえば、伝言機能が働くコール数が着信履歴に残っていて発信者の伝言がないときには、重要度の低い電話と認識することもできる。
【０００６】
（請求項３）着信履歴記憶部に記憶する着信履歴と表示部に表示する着信履歴に着信日時を含めることを特徴とする。
電話機に着信履歴を表示する際に、着信日時を併せて表示することで、発信者の電話の意図をより正確に認識できる。たとえば、毎日１７：００頃に夫が夕飯の用意について妻に連絡すると決めておくことで、ユーザである妻は１７：００の夫から着信コール数により夕食の用意の必要性を認識できる。
【０００７】
（請求項４）名前と電話番号とを一つの電話帳情報として記憶する電話帳記憶部と、着信履歴の電話番号と前期電話帳記憶部に記憶されている電話番号を照合する照合手段とを備え、着信履歴の電話番号と前期電話帳記憶部に記憶されている電話番号が一致する場合には、電話番号に対応する名前によって着信履歴を表示することを特徴とする。
ここで、「名前」には、人の名前や会社名或いは「自宅」や「実家」といったユーザが登録したものの他、「公衆電話」や「番号非通知」といった電話番号以外で表現できるものを含む。
【０００８】
（請求項５）ユーザが電話にでない場合に、発信者の電話番号及びコール数を着信履歴として記憶し、その後、記憶した着信履歴を抽出し、それを表示部に表示することを特徴とする着信履歴表示方法を提供する。
着信履歴記憶部と表示部の構成に拘わらず、この方法によっても本発明の目的を達成することができる。
【０００９】
【発明の実施の形態】
以下、本発明の実施の形態を動作を追って説明する。
電話機に着信があると、電話機のスピーカや表示部や発光部（携帯電話機の場合はバイブレータ等も含まれる）を機能させ着信した旨をユーザに報知する。
次に、電話機の内部の時計機能から着信日時を抽出し、表示部に発信者の電話番号とともに日時を表示する。また、ユーザが応答しない場合に、留守番電話機能が働くコール数（閾値）を超えないとき、又は超えたにも拘らず伝言がないときには、コール数を併せて表示する。
【００１０】
なお、電話番号に対応する名前等が電話帳情報に登録されている場合には、名前等に変換して表示する。具体的には、「１日１日　２２：３３　会社　３コール」といった具合である。１行で表示してもよいし、複数行や他の方法によって表示してもよい。また、電話番号を併せて表示してもよい。更に、発信者番号が非通知の場合には、たとえば、「１日１日　２２：３３　非通知　３コール」と表示してもよい。
そして、この発信者の電話番号（あるいは名前等）と着信日時とコール数とを着信履歴として着信履歴記憶部に記憶する。この情報は順次蓄積し、スクロール等によって過去の着信履歴を表示できるようにしてもよい。
【００１１】
また、コール数と対応する電話の意図を予め電話機に登録してある場合には、コール数を電話の意図に変換して表示してもよい。たとえば、会社からの３コールであれば「時間が空き次第で連絡が欲しい」、５コールであれば「至急連絡が欲しい」等と登録しておくことで、会社から着信が５コールあったとすると「１月２日　３：４５　会社　至急連絡が欲しい」と表示される。
このような一連の動作により、ユーザは電話に出ることなく、発信者の電話の意図を認識し、必要であれば着信リダイヤル機能（発信者番号通知を基にコールバックする機能）等により発信者に連絡をとることができる。
以上ここでは、多機能を有する電話機上での動作を説明したが、本発明は、このような実施形態に限定されるものではない。
【００１２】
【発明の効果】
本発明の電話機によれば、ユーザが電話に出ない場合に、発信者による伝言がなくとも発信者の電話の意図を認識でき、また所謂「ワン切り」の対策もできた。